(57)【要約】【課題】パソコン等のデスクワークが増えている現在、リラックスできない、肩こりで悩んでいる人が増えているといわれる。そこで原因に着目してみると、同じ姿勢を長時間強いられていることが大きい要員と考えられる。姿勢を変化させることでリラックスし肩こり及び無呼吸解消を可能にする商品が求められている。【解決手段】同じ姿勢が長時間続かないように、椅子や座椅子に座ってパソコン等の作業をしているとき上半身を前後左右にスイングしスイング角度、速度、時間調整できる背当てを開発した。【選択図】図１
2007097831.tif 000002
【特許請求の範囲】
【請求項１】
上半身を左右にスイングする背当付き椅子において、上半身上部を大きく動かし上半身下部の無理な動きを押さえるために可動部の上部が大きく下部が狭くなった背当の中心の内部又は外部に縦軸とそれを円滑に回転する軸受けを設け、軸を支持する軸受けを座席後部に設置し、背当て内部又は外部に設置した電動機等の動力で背当を反復スイングさせ、上半身又は背中、肩部を左右にひねることで、血行不良、体のこり、無呼吸等を解消し、椅子利用時の緊張緩和を促進することを特徴とする自動スイング背当。
【発明の詳細な説明】
【技術分野】
【０００１】
本発明は、上半身をひねることで体の緊張を緩和させ、こり、無呼吸を解消する装置に関するものである。
【背景技術】
【０００２】
従来は、素材又は形状を変える、振動させる等の背当が多数考えられ商品化されているが、数種類使って見ると、使い初めはよさそうだった。
【０００３】
しかし、慣れてくると、どの商品も同じ姿勢が長時間続き以前の緊張状態に戻ったり、効果の割に構造が複雑で普及していない。
【特許文献１】特開２００２−６５４３３（Ｐ２００２−６５４３３Ａ）広報
【発明の開示】
【発明が解決しようとする課題】
【０００４】
解決しようとする問題点は、上半身が長時間同じ姿勢をさせない点と構造が簡単なことである。
【課題を解決するための手段】
【０００５】
本発明は、従来の椅子の背当に軸一本を設け自動でスイングさせることで上半身を左右にひねり同じ姿勢を長時間させないことを最も主要な特徴とする。
【発明の効果】
【０００６】
本発明の自動スイング背当は、上半身をひねることで、緊張を緩和し血行不良、こり、無呼吸等の解消効果がある。
【０００７】
又、頭部を動かさない様にすると、デスクワーク等に支障なく利用できる。
【発明を実施するための最良の形態】
【０００８】
従来の背当が軸で支えられた椅子と同様なつくりで、背当ての内部又は外部に転がり軸受けを備え、軸又は背当を電動等の動力でスイングさせることで、上半身を左右にひねるという自動スイング背当を実現した。
【実施例１】
【０００９】
図１は本発明の１実施例の見取り図である。本体は背当て１の中心に縦軸２と背当てを円滑に回転する内部回転軸受け３又は外部回転軸受け４が有り、縦軸は座席５後部の軸受け６で支持されている。
【００１０】
内部動力７又は外部動力が縦軸をスイングさせる。
【００１１】
内部動力及びスイング装置は市販品で各種あるので説明を省略する。
【図面の簡単な説明】
【００１２】
【図１】自動スイング背当ての実施方法を示した説明図である。（実施例１）
【符号の説明】
【００１３】
１    背当て
２    縦軸
３    内部回転軸受け
４    外部回転軸受け
５    座席
６    軸受け
７    内部動力
【図１】
2007097831.tif 000003
【手続補正書】
【提出日】平成17年10月5日(2005.10.5)
【手続補正１】
【補正対象書類名】特許請求の範囲
【補正対象項目名】請求項１
【補正方法】変更
【補正の内容】
【請求項１】
上半身を左右にスイングする背当付き椅子において、上半身上部を大きく動かし上半身下部の無理な動きを押さえるために可動部の上部が肩幅程度に大きく、下部は狭いか又は無い背当の中心の内部又は外部に縦軸とそれを円滑に回転する軸受けを設け、軸を支持する軸受けを座席後部に設置し、背当の内部又は外部に設置した電動機等の動力で背当を反復スイングさせ、上半身又は背中、肩部を左右にひねることで、血行不良、体のこり、無呼吸等を解消し、椅子利用時の緊張緩和を促進することを特徴とする自動スイング背当。
【手続補正書】
【提出日】平成17年10月7日(2005.10.7)
【手続補正１】
【補正対象書類名】特許請求の範囲
【補正対象項目名】請求項１
【補正方法】変更
【補正の内容】
【請求項１】
上半身を左右にスイングする背当付き椅子において、上半身上部を大きく動かし上半身下部の無理な動きを押さえるために可動部の上部が肩幅程度に大きく、下部は狭いか又は無い背当の中心の内部又は外部に縦軸とそれを円滑に回転する軸受けを設け、軸を支持する軸受けを座席後部に設置し、背当の内部又は外部に設置した左右のスイング角度、速度、時間を調節できる制御機器及び電動機等の動力で背当を左右に反復スイングさせ、上半身又は背中、肩部を左右にひねることで、血行不良、体のこり、無呼吸等を解消し椅子利用時の緊張緩和を促進することを特徴とする自動スイング背当。
【手続補正２】
【補正対象書類名】明細書
【補正対象項目名】全文
【補正方法】変更
【補正の内容】
【発明の詳細な説明】
【技術分野】
【０００１】
本発明は、上半身をひねることで体の緊張を緩和させ、こり、無呼吸を解消する装置に関するものである。
【背景技術】
【０００２】
従来は、素材又は形状を変える、振動させる等の背当が多数考えられ商品化されているが、使い初めはよさそうだった。
【０００３】
しかし、慣れてくると、どの商品も同じ姿勢が長時間続き以前の緊張状態に戻ったり、効果の割に構造が複雑で普及していない。
【特許文献１】特開２００２−６５４３３（Ｐ２００２−６５４３３Ａ）広報
【発明の開示】
【発明が解決しようとする課題】
【０００４】
解決しようとする問題点は、上半身を長時間同じ姿勢をさせない点と構造が簡単なことである。
【課題を解決するための手段】
【０００５】
本発明は、従来の椅子の背当に軸一本を設け自動でスイングさせることで上半身を左右にひねり同じ姿勢を長時間させないことを最も主要な特徴とする。
【発明の効果】
【０００６】
本発明の自動スイング背当は、上半身をひねることで、緊張を緩和し血行不良、こり、無呼吸等の解消効果がある。
【０００７】
又、頭部を動かさない様にすると、デスクワーク等に支障なく利用できる。
【発明を実施するための最良の形態】
【０００８】
従来の背当が軸で支えられた椅子と同様なつくりで、背当ての内部又は外部に転がり軸受けと縦軸、電動機等の動力及び制御機器を備え、制御機器で左右のスイング角度、速度、時間を調節し電動機等の動力を駆動して背当をスイングさせることで、上半身を左右にひねるという自動スイング背当を実現した。
【実施例１】
【０００９】
図１は本発明の１実施例の見取り図である。本体は背当て１の中心に縦軸２と背当て１を円滑に回転する内部回転軸受け３又は外部回転軸受け４が有り、縦軸２は座席５後部の軸受け６で支持されている。
【００１０】
制御機器８で左右のスイング角度、速度、時間を調節し電動機等の動力７を駆動して縦軸２又は背当１を左右にスイングさせる。
【００１１】
電動機等の動力７及び制御機器８は一般に普及しているので説明を省略する。
【図面の簡単な説明】
【００１２】
【図１】自動スイング背当ての実施方法を示した説明図である。（実施例１）
【符号の説明】
【００１３】
１    背当て
２    縦軸
３    内部回転軸受け
４    外部回転軸受け
５    座席
６    軸受け
７    電動機等の動力
８    制御機器
【手続補正３】
【補正対象書類名】図面
【補正対象項目名】図１
【補正方法】変更
【補正の内容】
【図１】
2007097831.tif 000004
【手続補正書】
【提出日】平成17年11月2日(2005.11.2)
【手続補正１】
【補正対象書類名】特許請求の範囲
【補正対象項目名】請求項１
【補正方法】変更
【補正の内容】
【請求項１】
上半身を左右にスイングする上半身上部背当付き椅子において、上半身上部を大きく動かし上半身下部の無理な動きを押さえるために可動部の上部が肩幅程度に大きく、下部は従来の背当を利用するか取り除く。上半身上部背当の中心の内部又は外部に、縦軸とそれを円滑に回転する軸受けを設けるか、又は上半身上部背当たり面に左右交互又は同時に空気を入れたり出したりすることで膨張収縮する左右に分かれた柔軟性のある袋状の部屋を設け、上半身上部背当を背当の内部又は外部に設置した左右のスイング角度、速度、時間を調節できる制御機器及び電動機で左右回転、又は送風機で背当を前後に膨張収縮で反復スイングさせ、上半身又は背中、肩部を左右にひねることで、血行不良、体のこり、無呼吸等を解消し椅子利用時の緊張緩和を促進することを特徴とする自動スイング背当。
【手続補正２】
【補正対象書類名】明細書
【補正対象項目名】全文
【補正方法】変更
【補正の内容】
【発明の詳細な説明】
【技術分野】
【０００１】
本発明は、上半身をひねることで体の緊張を緩和させ、こり、無呼吸を解消する装置に関するものである。
【背景技術】
【０００２】
従来は、素材又は形状を変える、振動させる等の背当が多数考えられ商品化されているが、使い初めはよさそうだった。
【０００３】
しかし、慣れてくると、どの商品も同じ姿勢が長時間続き以前の緊張状態に戻ったり、効果の割に構造が複雑で普及していない。
【特許文献１】特開２００２−６５４３３（Ｐ２００２−６５４３３Ａ）広報
【発明の開示】
【発明が解決しようとする課題】
【０００４】
解決しようとする問題点は、上半身を長時間同じ姿勢をさせない点と構造が簡単なことである。
【課題を解決するための手段】
【０００５】
本発明は、従来の椅子の上半身上部背当部に回転軸或いは前後膨張収縮する部屋を設け自動でスイングさせることで上半身を左右にひねり同じ姿勢を長時間させないことを最も主要な特徴とする。
【発明の効果】
【０００６】
本発明の自動スイング背当は、上半身をひねることで、緊張を緩和し血行不良、こり、無呼吸の解消及び腹部を引き締める等の効果がある。
【０００７】
又、頭部を動かさない様にすると、デスクワーク等に支障なく利用できる。
【発明を実施するための最良の形態】
【０００８】
従来の椅子に上半身上部背当部が左右にスイングする装置を追加し、上半身上部背当部の内部又は外部に転がり軸受けと縦軸、又は左右に分かれた部屋と電動機又は送風機等の動力及び制御機器を備え、制御機器で左右のスイング角度、速度、時間を調節し電動機等の動力を駆動して背当をスイングさせることで、上半身を左右にひねるという自動スイング背当を実現した。
【実施例１】
【０００９】
図１は本発明の１実施例の見取り図である。本体は上部背当て１の中心部に縦軸２と背当て１を円滑に回転する回転軸受け３か、又は背当り面に膨張収縮する左右部屋４が有る。
【００１０】
制御機器６で左右のスイング角度、速度、時間を調節し電動機又は送風機等の動力５を駆動して上部背当１を左右回転、又は左右部屋４を左右交互又は同時に膨張収縮させ上半身をスイングさせる。
【００１１】
電動機等の動力５及び制御機器６は一般に普及しているので説明を省略する。
【図面の簡単な説明】
【００１２】
【図１】自動スイング背当ての実施方法を示した説明図である。（実施例１）
【符号の説明】
【００１３】
１    上部背当
２    縦軸
３    回転軸受け
４    左右部屋
５    電動機又は送風機等の動力
６    制御機器
７    上部背当支柱  
８    従来背当
９    従来取付カバー
１０  従来支柱  
１１  従来座席
【手続補正３】
【補正対象書類名】図面
【補正対象項目名】図１
【補正方法】変更
【補正の内容】
【図１】
2007097831.tif 000005